(57)【要約】【課題】  省スペース化を達成した上で、現金の収納量過多による取引停止までの時間を延長させた現金自動取引装置及びその動作方法を提供する。【解決手段】  現金を収納する少なくとも一の金種カセットと、金種が特定できない現金や前記金種カセットのいずれによっても収納できない金種の現金を収納するリジェクトカセットと、前記リジェクトカセット又は前記複数の金種カセットのうちの一が収納する現金の量が収納可能な最大量未満の所定量を超えた際に、前記所定量を超えた現金が収納された前記リジェクトカセット又は前記金種カセットへ収納されるべき現金の収納先が、前記複数の金種カセットのうちのいずれかに変更可能であるか否かを判断し、変更可能である場合には現金の収納先となる前記金種カセットを選定する変更可否判断部と、前記変更可否判断部の選定結果に基いて、前記リジェクトカセット及び前記複数の金種カセットの各々における現金の入出金に関する設定である運用モードを制御するモード制御部と、を具備する。【選択図】        図１
2006331225.tif 000002
【特許請求の範囲】
【請求項１】
現金を収納する少なくとも一の金種カセットと、
金種が特定できない現金や前記金種カセットのいずれによっても収納できない金種の現金を収納するリジェクトカセットと、
前記リジェクトカセット又は前記複数の金種カセットのうちの一が収納する現金の量が収納可能な最大量未満の所定量を超えた際に、前記所定量を超えた現金が収納された前記リジェクトカセット又は前記金種カセットへ収納されるべき現金の収納先が、前記複数の金種カセットのうちのいずれかに変更可能であるか否かを判断し、変更可能である場合には現金の収納先となる前記金種カセットを選定する変更可否判断部と、
前記変更可否判断部の選定結果に基いて、前記リジェクトカセット及び前記複数の金種カセットの各々における現金の入出金に関する設定である運用モードを制御するモード制御部と、
を具備した
現金自動取引装置。
【請求項２】
請求項１に記載された現金自動取引装置であって、
更に、
前記リジェクトカセット又は前記複数の金種カセットの夫々について現金の収納量が満杯未満である所定の量に達したかどうかを判断する収納量判断部
を具備し、
前記変更可否判断部は、前記収納量判断部の判断結果に基いて変更可否の判断及び収納先となる前記金種カセットの選定を行う
現金自動取引装置。
【請求項３】
請求項１又は２に記載された現金自動取引装置であって、
更に、
前記変更可否判断部による選定結果に基いて、前記変更可否判断部により選定された前記金種カセットに前記収納先を変更した場合に、各金種について入出金の取引が可能であるか否かを判断するサービスレベル判断部
を具備し、
前記モード制御部は、前記サービスレベル確認部の確認結果に基いて前記運用モードの制御を行う
現金自動取引装置。
【請求項４】
請求項１乃至３のいずれかに記載された現金自動取引装置であって、
前記運用モードは、一種類の金種について入金及び出金を許可する還流庫、現金の金種に係わらず入金のみを許可する入金専用庫、１種類の金種について出金のみを許可する出金専用庫、及び他の金種カセットに対する現金の補充のみを許可する補充庫、のうちのいずれかである
現金自動取引装置。
【請求項５】
請求項１乃至４のいずれかに記載された現金自動取引装置であって、
前記複数の金種カセットの各々について、現金の入出金の傾向から入金過多傾向にあるか出金過多傾向にあるかを判別する入出金傾向判別部
を具備し、
前記変更可否判断部は、前記入出金傾向判別部による判別結果に基いて、収納先となる前記金種カセットを選定する
現金自動取引装置。
【請求項６】
請求項１乃至５のいずれかに記載された現金自動取引装置であって、
更に、
出力装置
を具備し、
前記変更可否判断部は、現金の収納先を変更する前に、現金の収納先を変更した後の各金種の受け入れ可能量を計算して、前記出力装置に出力する
現金自動取引装置。
【請求項７】
演算処理装置が、現金を収納する複数の金種カセットのうちの一、又は、金種が特定できない不明な現金や前記複数の金種カセットでは収納できない金種の現金を収納するリジェクトカセット、に収納される現金が所定量以上になったか否かを判断するステップと、
前記演算処理装置が、所定量以上の現金が収納された前記リジェクトカセット又は前記金種カセットへ収納されるべき現金の収納先を、前記複数の金種カセットのうちのいずれかに変更可能であるか否かを判断する変更可否判断ステップと、
前記変更可否判断ステップにおいて、前記演算処理装置が変更可能であると判断した場合に、前記演算処理装置が現金の収納先となる前記金種カセットを選定する収納先選定ステップと、
前記演算処理装置が、前記収納先選定ステップにおける選定結果に基いて、前記リジェクトカセット及び前記複数の金種カセットの各々について、現金の入出金に関する設定である運用モードを制御する運用モード制御ステップと、
を具備した
現金自動取引装置の動作方法。
【請求項８】
請求項７に記載された現金自動取引装置の動作方法であって、
更に、
前記演算処理装置が、各金種について入出金の取引が可能であるか否かを判断するサービスレベル判断ステップ
を具備し、
前記運用モード制御ステップにおいて、前記演算処理装置が、前記サービスレベル判断ステップの判断結果に基いて前記運用モードを制御する
現金自動取引装置の動作方法。
【請求項９】
請求項７又は８のいずれかに記載された現金自動取引装置であって、
前記運用モードは、一種類の金種について入金及び出金を許可する還流庫、現金の金種に係わらず入金のみを許可する入金専用庫、１種類の金種について出金のみを許可する出金専用庫、及び他の金種カセットに対する現金の補充のみを許可する補充庫、のうちのいずれかである
現金自動取引装置。
【請求項１０】
請求項９に記載された現金自動取引装置の動作方法であって、
前記変更可否判断ステップは、
現金の収納に空きがあり、且つ、前記入金専用庫に設定された前記金種カセットが存在するかを判断するステップと、
現金の収納に空きがあり、且つ、前記補充庫に設定された前記金種カセットが存在するかを判断するステップと、
現金の収納に空きがあり、且つ、前記還流庫又は少なくとも１種類の第１金種のうちの１種類の金種の出金専用庫に設定された前記金種カセットが存在するかを判断するステップと、
現金の収納に空きがあり、且つ、少なくとも１種類の第２金種のうちの１種類の金種の出金専用庫に設定された前記金種カセットが、二本以上存在するかを判断するステップと、
を備える
現金自動取引装置の動作方法。
【請求項１１】
請求項１０に記載された現金自動取引装置の動作方法であって、
前記演算処理装置が前記複数の金種カセットの各々について、現金の入出金の傾向から入金過多傾向にあるか出金過多傾向にあるかを判別する入出金傾向判別ステップ
を備え、
前記収納先選定ステップにおいて、前記演算処理装置が、前記入出金傾向判別ステップにおいける判別結果に基いて、現金の収納先となる前記金種カセットを選定する
現金自動取引装置の動作方法。
【請求項１２】
請求項７乃至１１のいずれかに記載された現金自動取引装置であって、
更に、
前記演算処理装置が、現金の収納先を変更する前に、現金の収納先を変更した後の各金種の受け入れ可能量を計算して、出力装置に出力する出力ステップ
を具備した
現金自動取引装置の動作方法。
【発明の詳細な説明】
【技術分野】
【０００１】
本発明は無人運用している現金の自動取引装置及びその動作方法に関する。
【背景技術】
【０００２】
現金の入出金取引の無人運用を行う現金自動取引装置が知られている。その現金自動取引装置には、現金を収納する為の少なくとも一の金種カセットと、金種が特定できない現金などを収納する為のリジェクトカセットが備えられている。係員による現金の装填時に、リジェクトカセットや金種カセットの各々に対して、取り扱う金種や入出金に関する設定が行われる。このような現金自動取引装置では、運用時にある金種の入金が過多となりその金種を扱う金種カセットにそれ以上の現金を収納することができなくなると、その金種に関する入金取引の停止や、入出金取引の全面的な停止が行われる。ある金種の入金取引の停止や、入出金取引の全面的な停止を解除する為に、係員によってリジェクトカセットや金種カセットの交換が行われる。このような現金自動取引装置においては、係員がリジェクトカセット及び金種カセットの交換を行ってから、現金の収納量が飽和して取引停止になるまでの時間、即ち取引可能な時間ができるだけ長いことが望まれる。取引可能な時間を延長する為に、大型化によりリジェクトカセット及び金種カセットが収納できる現金の量を増やしたり、リジェクトカセットや金種カセットの数を増やすことで対応していた。
【０００３】
一方、近年ではコンビニエンスストア等の設置空間が限られた場所に設置される現金自動取引装置が増えてきている。このような現金自動取引装置では、装置の空間的な多きさの制限の下で、長時間取引可能である装置の提供が望まれている。
【０００４】
上記と関連して、特許文献1は、金種別に紙幣を収納する少なくとも一つの金種別収納庫と、紙幣を鑑別する鑑別手段と、鑑別結果が不良の紙幣や予め設定した紙幣を収納するリジェクト紙幣収納庫とを備え、不良と判断された紙幣や予め設定した紙幣をリジェクト紙幣収納庫に収納していく現金自動入出金装置において、リジェクト紙幣収納庫の満杯時には、不良と判断された紙幣や予め設定した紙幣をいずれかの金種別収納庫に収納していくようにしたことを特徴とする現金児童入出金装置、を開示している。
【０００５】
更に、上記と関連して、特許文献２は、取引運用に必要な現金を収納する複数の金種別収納手段と、これらの収納手段とは別に、前記金種別収納手段に対する補充回収の為の現金を収納する補充回収収納手段と、前記補充回収収納手段から前記金種別収納手段へ現金を補充する制御を行う補充制御手段と、前記補充回収手段へっ前記金種別収納手段から余剰現金を回収する制御を行う回収制御手段と、現金自動取引装置の運用モードを設定する運用モード設定手段と、設定された運用モードを記憶する運用モード記憶手段と、前記運用モード記憶手段の設定に従って、前記各金種別収納手段へ収納される金種の設定変更を制御し、該当する金種の現金の収納と、金種別収納庫からの現金の繰り出しを制御する制御手段とを設けた現金自動取引装置、を開示している。
【０００６】
また、上記と関連して、特許文献３は、取り込み搬送される種種の金種の貨幣を監査する監査手段と、この監査手段により監査される所定の一金種を夫々収納する第１、第２の収納部と、上記監査手段により監査される上記第１、第２の収納部に収納される金種と異なる金種の貨幣を収納する第３の収納部と、上記監査手段の監査結果に基いて、上記各収納部に収納される貨幣の枚数を記憶する記憶手段と、上記各収納部の収納貨幣を取り出して別の収納部へ搬送する搬送手段と、上記記憶手段の記憶内容により上記第３の収納部に収納されている貨幣の枚数が所定量に達したか否かを判断する判断手段と、この判断手段により第３の収納部の貨幣が第２の収納部に移動された後に、上記第３の収納部の貨幣のうちの所定量を上記第１の移動手段により貨幣が移動された第一の収納部に移動する第２の移動手段とを具備し、上記監査手段により第３の収納部に収納されるべき貨幣を監査した際に、上記移動手段により貨幣が移動された第１の収納部、あるいは上記第３の収納部に収納することを特徴とする貨幣処理装置、を開示している。
【０００７】
【特許文献１】特開２００２−８０９６
【特許文献２】特開平５−６４７９
【特許文献３】特開平１１−１０２４５７
【発明の開示】
【発明が解決しようとする課題】
【０００８】
即ち、本発明の目的は、省スペース化を達成した上で、現金の収納量過多による取引停止までの時間を延長させた現金自動取引装置及びその動作方法を提供することにある。
【課題を解決するための手段】
【０００９】
以下に、［発明の実施の形態］で使用される番号・符号を用いて、課題を解決する為の手段を説明する。これらの番号・符号は［特許請求の範囲］の記載と［発明の実施の形態］の記載との対応関係を明らかにする為に付加されている。但し、付加された番号・符号は［特許請求の範囲］に記載されている発明の技術的範囲の解釈に用いてはならない。
【００１０】
本発明に係る現金自動取引装置（１）は、
現金を収納する複数の金種カセット（２）と、
金種が特定できない不明な現金やその金種カセットでは収納できない金種の現金を収納するリジェクトカセット（３）と、
リジェクトカセット（３）又は複数の金種カセット（２）のうちの一が収納する現金が所定量以上になった際に、所定量以上の現金が収納されたリジェクトカセット（３）又は金種カセット（２）へ収納されるべき現金の収納先が、複数の金種カセット（２）のうちのいずれかに変更可能であるか否かを判断し、変更可能である場合には現金の収納先となる金種カセット（２）を選定する変更可否判断部（４）と、
変更可否判断部（４）の選定結果に基いて、リジェクトカセット（３）及び複数の金種カセット（２）の各々における現金の入出金に関する設定である運用モードを制御するモード制御部（５）と、
を備える。
【００１１】
このような構成に依れば、リジェクトカセット（３）又は金種カセット（２）における現金の収納量が最大量になる前に現金の収納先が変更されるために、現金自動取引装置（１）が連続して稼動できる時間が延長される。更に、上述のような構成によれば、金種カセット（２）やリジェクトカセット（３）そのものを移動したり、収納されている現金を移し替えたりする必要が無い為に、これらの処理を行うための装置を新たに設ける必要が無い。即ち、省スペース化を達成した上で現金自動取引装置（１）が連続して運用可能な時間を延長することができる。
【００１２】
本発明に係る現金自動取引装置（１）は、
更に、
リジェクトカセット（３）又は複数の金種カセット（２）の夫々について現金の収納量を検知する収納量判断部（６）
を備え、
変更可否判断部（４）は、収納量判断部（６）の検知結果に基いて変更可否の判断と収納先となる金種カセット（２）の選定とを行う。
【００１３】
本発明に係る現金自動取引装置（１）は、
更に、
各金種について入出金の取引が可能であるか否かを判断するサービスレベル判断部（７）
を備え、
モード制御部（５）は、サービスレベル判断部（７）の判断結果に基いてその運用モードの制御を行う。
【００１４】
本発明に係る現金自動取引装置（１）において、
その運用モードは、一種類の金種について入金及び出金を許可する還流庫、現金の金種に係わらず入金のみを許可する入金専用庫、１種類の金種について出金のみを許可する出金専用庫、及び他の金種カセットに対する現金の補充のみを許可する補充庫、のうちのいずれかである。
【００１５】
本発明に係る現金自動取引装置（１）は、
更に、
複数の金種カセット（２）の各々について、現金の入出金の傾向が入出金の多い入金過多傾向にあるか出金の多い出金過多傾向にあるかを判別する入出金傾向判別部（８）
を備え、
変更可否判断部（４）は、入出金傾向判別部（８）による判別結果に基いて、現金の収納先となる金種カセット（２）を選定する。
【００１６】
入金過多傾向であるか出金過多傾向であるかを判別することにより、現金の収納先の選定時において、連続して稼動できる時間がより長くなるように金種カセット（２）を選定することができる。
【００１７】
本発明に係る現金自動取引装置（１）は、
更に、
出力装置（９）
を備え、
変更可否判断部（４）は、現金の収納先を変更した後の各金種の受け入れ可能量を計算して、出力装置（９）に出力する。
【００１８】
このような構成により、現金の収納先を変更した後の構成における現金の収容可能量を予測して出力することから、係員に収納先の変更を意識させることなく、現金自動取引装置（１）を運用することができる。
【００１９】
本発明に係る現金自動取引装置（１）の動作方法は、
演算処理装置（１０）が、現金を収納する複数の金種カセット（２）のうちの一、又は、金種が特定できない不明な現金や複数の金種カセット（２）では収納できない金種の現金を収納するリジェクトカセット（３）、に収納される現金が所定量以上になったか否かを判断するステップ（ステップＳ１０）と、
演算処理装置（１０）が、所定量以上の現金が収納されたリジェクトカセット（３）又は金種カセット（２）へ収納されるべき現金の収納先を、複数の金種カセット（２）のうちのいずれかに変更可能であるか否かを判断する変更可否判断ステップ（ステップＳ２０）と、
変更可否判断ステップ（Ｓ１０）において演算処理装置（１０）が変更可能であると判断した場合に、演算処理装置（１０）が現金の収納先となる前記金種カセットを選定する収納先選定ステップ（ステップＳ３０）と、
演算処理装置（１０）が、収納先選定ステップ（３０）における選定結果に基いて、リジェクトカセット（３）及び各金種カセット（２）について、現金の入出金に関する設定である運用モードを制御する運用モード制御ステップ（ステップＳ４０）と、
を備える。
【００２０】
本発明に係る現金自動取引装置（１）の動作方法は、
更に、
演算処理装置（１０）が、各金種について入出金の取引が可能であるか否かを判断するサービスレベル判断ステップ（ステップＳ３１）
を備え、
運用モード制御ステップ（Ｓ４０）において、演算処理装置（１０）が、サービスレベル判断ステップ（Ｓ３１）の判断結果に基いてその運用モードを制御する。
【００２１】
本発明に係る現金自動取引装置（１）の動作方法において、
その運用モードは、一種類の金種について入金及び出金を許可する還流庫、現金の金種に係わらず入金のみを許可する入金専用庫、１種類の金種について出金のみを許可する出金専用庫、及び他の金種カセットに対する現金の補充のみを許可する補充庫、のうちのいずれかである。
【００２２】
本発明に係る現金自動取引装置（１）の動作方法において、
変更可否判断ステップ（Ｓ２０）は、
現金の収納に空きがあり、且つ、その入金専用庫に設定された金種カセット（２）が存在するかを判断するステップ（ステップＳ２１）と、
現金の収納に空きがあり、且つ、その補充庫に設定された金種カセット（２）が存在するかを判断するステップ（ステップＳ２２）と、
現金の収納に空きがあり、且つ、その還流庫又は少なくとも１種類の第１金種のうちの１種類の金種の出金専用庫に設定された金種カセット（２）が存在するかを判断するステップ（ステップＳ２３）と、
現金の収納に空きがあり、且つ、少なくとも１種類の第２金種のうちの１種類の金種の出金専用庫に設定された金種カセット（２）が、二本以上存在するかを判断するステップ（ステップＳ２４）と、
を備える。
【００２３】
本発明に係る現金自動取引装置（１）の動作方法において、
演算処理装置（１０）が複数の金種カセット（２）の各々について、現金の入出金の傾向から入金過多傾向にあるか出金過多傾向にあるかを判別する入出金傾向判別ステップ（ステップＳ２５）
を備え、
収納先選定ステップ（Ｓ３０）において、演算処理装置（１０）が、入出金傾向判別ステップ（Ｓ２５）における判別結果に基いて、現金の収納先となる金種カセット（２）を選定する。
【００２４】
本発明に係る現金自動取引装置（１）の動作方法は、
更に、
演算処理装置（１０）が、現金の収納先が変更される前に、現金の収納先を変更した後の各金種の受け入れ可能量を計算して、出力装置（９）に出力する出力ステップ（ステップＳ５０）
を備える。
【発明の効果】
【００２５】
本発明に依れば、省スペース化を達成した上で、現金の収納量過多による取引停止までの時間を延長させた現金自動取引装置及びその動作方法が提供される。
【発明を実施するための最良の形態】
【００２６】
（実施形態）
以下に図面を参照して、本発明に係る実施の形態について詳細に説明する。
【００２７】
（構成）
図１は本実施の形態に係る現金自動取引装置の構成の概略を示す図である。
【００２８】
本実施の形態に係る現金自動取引装置１は、現金ユニット２０と、現金ユニット２０に接続した上位制御部１１と、を備えている。尚、本実施例においては、現金ユニット２０は現金として紙幣を取り扱うことが好ましい。
【００２９】
現金ユニット２０には、現金の出し入れが行われる現金入出口１３、現金入出口１３から投入された現金の金種を鑑別する鑑別部３０、現金入出口１３から投入された現金を収納する複数の金種カセット２、金種が特定できない不明な現金や複数の金種カセット２のいずれによっても収納できない金種の現金を収納するリジェクトカセット３、及び現金ユニット２０の動作の制御を行う現金ユニット制御部２１が設けられている。鑑別部３０と、各金種カセット２及びリジェクトカセット３との間には現金の移動を行うための現金移動経路４０が設けられている。
【００３０】
各金種カセット２及びリジェクトカセット３には現金の収納量を検知する収納量検知装置６０が備えられている。収納量検知装置６０は上位制御装置１１にアクセス可能であり、各金種カセット２及びリジェクトカセットにおける現金の収納量を上位制御装置１１に通知する機能を実現する。尚、収納量検知装置６０から上位制御装置１１へのアクセスは現金ユニット制御部２１を介して行われてもよい。
【００３１】
鑑別部３０は、現金が入金されると、現金の金種を鑑別して鑑別結果を現金ユニット制御部２１へ通知する機能を実現する。
【００３２】
現金ユニット制御部２１は鑑別部３０の鑑別結果に基いて、投入された現金が複数の金種カセット２のうちのいずれか又はリジェクトカセット３へ収納されるように現金移動経路４０の経路を操作する機能を実現する。また現金ユニット制御部２１は、記憶装置５０（図示せず）にアクセス可能である。記憶装置５０には、各金種カセット２及びリジェクトカセット３の運用モードが記憶されている。尚、各金種カセット２の運用モードは、１種類の金種について入金及び出金を許可する還流庫、１種類の金種について出金のみを許可する出金専用庫、現金の金種に係わらず入金のみを許可する入金専用庫、及び他の金種カセットに対する現金の補充のみを許可する補充庫、のうちのいずれかとして設定されている。即ち、現金ユニット制御部２１は、鑑別部３０による鑑別結果及び記憶装置５０に記憶されたその運用モードに従って、現金移動経路４０を操作する。また、現金ユニット制御部２１は上位制御装置１１からの指示を受けて記憶装置５０に記憶された運用モードの更新を行う機能を実現する。
【００３３】
上位制御装置１１には、演算処理装置１０、記憶装置１４、ＲＯＭ１７、プログラムを格納したＲＡＭ１６、及び出力装置９が設けられている。ＲＡＭ１６には、モード制御部５、収納量判断部６、変更可否判断部４、入出金傾向判断部８、及びサービスレベル判断部７が制御プログラムとして格納されており、これらのプログラムは演算処理装置１０によってその機能を実現する。
【００３４】
記憶装置１４には、入金及び出金された現金の数を示す入出金計数データが、各金種と対応付けられて格納されている。その入出金計数データは、鑑別部３０の鑑別結果に基き更新される。更に記憶装置１４には、各金種カセット２及びリジェクトカセット３に収納されている現金の収納量を示す収納量データが格納されている。更に、記憶装置１４には、その金種については入出金取引が行われなくても現金自動取引装置が運用可能である第１金種の金種と、現金自動取引装置１が運用される際には必ず入出金取引が可能である第２金種の金種とが、係員の設定により記憶されている。
【００３５】
モード制御部５は、リジェクトカセット３及び金種カセット２の各々についての運用モードを決定する機能を実現する。更に、モード制御部５は決定した運用モードを現金ユニット制御部２１に通知し、現金ユニット制御部２１を介して記憶装置５０に記憶されている運用モードを更新する機能を実現する。
【００３６】
収納量判断部６は、収納量検知装置６０より通知された現金の収納量の情報に基いて、リジェクトカセット３及び各金種カセット２に収納された現金の収納量が所定量以上であるか否かの判断を行う機能を実現する。更に、収納量判断部６は、収納量検知装置６０からの通知に基いて、リジェクトカセット３及び各金種カセット毎の現金の収納量を、記憶装置１４に収納量データとして格納する機能を実現する。また、収納量判断部６は、所定量以上の現金が収納されていると判断した場合には、結果を変更可否判断部４に通知する機能を実現する。
【００３７】
変更可否判断部４は、収納量判断部６の通知により作動する。変更可否判断部４は、その所定量を超える現金が収納された金種カセット２又はリジェクトカセット３へ収納されるべき現金を、他の金種カセットへ収納して運用することが可能であるか否かを判別する機能を実現する。変更可否判断部４は、所定量を超える現金が収納された金種カセット２又はリジェクトカセット３の他に、入金専用庫に設定された金種カセット２が存在するか否かを判断する。また、変更可否判断部４は、所定量を超える現金が収納された金種カセット２又はリジェクトカセット３の他に補充庫に設定された金種カセット２が存在するか否かを判断する。また、変更可否判断部４は、所定量を超える現金が収納された金種カセット２又はリジェクトカセット３の他に、予め定められた第１の金種の出金専用庫に設定された金種カセット２が存在するか否かを判断する。また、変更可否判断部４は、所定量を超える現金が収納された金種カセット２又はリジェクトカセット３の他に、予め定められた第２の金種の出金専用庫に設定された金種カセット２が２本以上存在するか否かを判断する。また、変更可否判断部４はこれらの判断結果及び、他の制御プログラムからの通知に基いて、現金の収納先となる金種カセット２を選定する機能を実現する。更に、変更可否判断部４は、金種カセット２を選定した後に、現金の収納先の変更後の現金の収容可能量を計算して、出力装置９に出力する機能を実現する。
【００３８】
尚、第１の金種とは、その金種については入出金取引が行われなくても現金自動取引装置が運用可能である金種である。また、第２の金種は現金自動取引装置が運用されている際には必ず入出金取引が可能であるべき金種である。第１の金種及び第２の金種は係員の指定により設定することができる。例えば、現金の入出金取引を、一万円及び１千円紙幣で行い、５千円及び２千円紙幣は必ずしも使用しなくても良い場合には、第１の金種として５千円紙幣及び２千円紙幣が設定され、第２の金種として１万円及び１千円紙幣が設定される。これらの第１の金種及び第２の金種はユーザにより指定され、記憶装置１４中に記憶されている。
【００３９】
入出金傾向判断部８は変更可否判断部４の判断結果に基いて動作する。すなわち、変更可否判断部４が、その第２の金種の出金専用庫に設定された金種カセット２が２本以上存在すると判断した場合に動作する。入出金傾向判断部８は、記憶装置１４にアクセスして、入出金計数データを参照し、その第２の金種カセットに設定された二本以上の金種カセットの各々について、入金が過多な傾向にあるか、出金が過多な傾向にあるかの判定を行う機能を実現する。入出金傾向判断部８は、その判定の結果を変更可否判断部４に通知する機能を実現する。
【００４０】
サービスレベル判断部７は、変更可否判断部４の選定結果に基いて動作する。すなわち、変更可否判断部４が選定した金種カセット２へ現金の収納先を変更した場合に、第２の金種について運用が可能であるか否かを判断する機能を実現する。サービスレベル判断部７は、運用が可能であると判断した場合に、モード制御部５にその判断結果を通知する機能を実現する。
【００４１】
（動作）
続いて、本実施の形態に係る現金自動取引装置の動作方法について説明する。本実施の形態に係る現金自動取引装置の動作方法は、現金の収納量が所定量以上であるか否かを判断するステップ（ステップＳ１０）、現金の収納先の変更可否を判断するステップ（ステップＳ２０）、収納先を選定するステップ（ステップＳ３０）、サービスレベルを判断するステップ（ステップＳ３１）、運用モードを変更するステップ（ステップＳ４０）、及び出力するステップ（ステップＳ５０）を備えている。
【００４２】
ステップＳ１０
まず、現金が入金されて、複数の金種カセット２のいずれか又はリジェクトカセット３に収納されると、収納量検知装置６０が現金の収納量を上位制御部１１に通知する。上位制御部１１では、収納量検知装置６０からの通知に基いて、収納量判断部６が現金の収納量が所定量以上となったか否かを判断する。更に、収納了見恥部６は、各金種カセット２及びリジェクトカセット毎について、現金の収納量を記憶装置１４に格納する。収納量判断部６は、判断の結果が所定量以上であった場合には、判断結果を変更可否判断部４へ通知して、変更可否判断ステップＳ２０へ進む。
【００４３】
変更可否判断ステップ（ステップＳ２０）
ステップＳ１０にて、現金の収納量が所定量以上となったと判断された場合には、変更可否判断部４が、所定量以上となった金種カセット２又は所定量以上の現金が収容されたリジェクトカセット３へ収納されるべき現金を、他の金種カセット２へ収納するようにすることが可能であるか否かを判断する（変更可否判断ステップＳ２０）。変更可否判断ステップＳ２０は、入金専用庫に設定された金種カセットが存在するか否かを判断するステップ（ステップＳ２１）、補充庫に設定された金種カセットが存在するか否かを判断するステップ（ステップＳ２２）、第１金種の出金専用庫に設定された金種カセットが存在するか否かを判断するステップ（ステップＳ２３）、第２金種の出金専用庫に設定された金種カセットが存在するか否かを判断するステップ（ステップＳ２４）、及び入出金の傾向を判断するステップ（ステップＳ２５）を備えている。
【００４４】
ステップＳ２１
変更可否判断ステップＳ２０においては、まずステップＳ２１において、変更可否判断部４が、その収納量データを参照して、現金の収納量に空きがあり、且つ入金専用庫に設定された金種カセット２が存在するか否かを判断する。変更可否判断部４は、存在しないと判断した場合には、ステップＳ２２へと進み、存在すると判断した場合にはステップＳ３０へと進む。尚、以下のステップＳ２２〜ステップＳ２３の変更可否判断部４による判断も、その収納量データを参照して行われる。
【００４５】
ステップＳ２２
ステップＳ２１において、変更可否判断部４が、入金専用庫に設定され且つ空きのある金種カセット２は存在しないと判断した場合には、ステップＳ２２において、現金の収納量に空きがあり、且つ、補充庫に設定された金種カセット２が存在するか否かを判断する。変更可否判断部４は、このような金種カセット２が存在しないと判断した場合には、ステップＳ２３へと進み、存在すると判断した場合にはステップＳ３０へと進む。
【００４６】
ステップＳ２３
ステップＳ２２において、変更可否判断部４が、補充庫に設定されて且つ空きのある金種カセット２は存在しないと判断した場合、ステップＳ２３において、現金の収納量に空きがあり、且つ、還流庫に設定された金種カセット２又は第１金種の出金専用庫に設定された金種カセット２が存在するか否かを判断する。変更可否判断部４は、このような金種カセット２が存在しないと判断した場合には、ステップＳ２４へと進み、存在すると判断した場合にはステップＳ３０へと進む。
【００４７】
ステップＳ２４
ステップＳ２３において、変更可否判断部４が、還流庫又は第１金種の出金専用庫に設定されて且つ空きがある金種カセット２は存在しないと判断した場合、ステップＳ２３において、現金の収納量に空きがあり且つ第２金種の出金専用庫に設定された金種カセット２が２本以上存在するか否かを判断する。変更可否判断部４がこのような金種カセット２が存在しないと判断した場合には、出力ステップ（ステップＳ５０）へと進み、現金自動取引装置１が現金の収納量が溢れ（フル）となる直前である（ニアフル）状態である通知とともに、各金種カセット２及びリジェクトカセット３における現金収容可能量をを出力装置９に出力する。一方、存在すると判断した場合にはステップＳ２５へと進む。
【００４８】
ステップＳ２５
変更可否判断部４は、ステップＳ２５にて、入出金計数データを参照して、その第２金種が入金が過多の傾向にあるのか、出金が過多の傾向にあるのかを判別して、ステップＳ３０へと進む。
【００４９】
ステップＳ３０
続いて、変更可否判断部４は、変更可否判断ステップ（Ｓ２０）の結果に基いて、現金の収納先となる金種カセット２を選定する（ステップＳ３０）。即ち、ステップＳ２１において、変更可否判断部４が、現金の収納量に空きがあり、且つ入金専用庫に設定された金種カセット２が存在すると判断した場合には、ステップＳ３０にて変更可否判断部４がその入金庫に設定された金種カセット２を現金の収納先として選定する。ステップＳ２２において、変更可否判断部４が、収納量に空きがあり且つ補充庫に設定された金種カセット２が存在すると判断した場合には、ステップＳ３０にて変更可否判断部４がその補充庫に設定された金種カセット２を現金の収納先として選定する。ステップＳ２３において、変更可否判断部４が、還流庫に設定された金種カセット２又は第１金種の出金専用庫に設定された金種カセット２が存在すると判断した場合には、その還流庫に設定された金種カセット又は第１金種の出金専用庫に設定された金種カセット２を現金の収納先として選定する。ステップＳ２５において変更可否判断部４が入金が過多の傾向にあると判別した場合には、ステップＳ３０において変更可否判断部４がその収納量データを参照し、第２金種の出金専用庫に設定されて収納量に空きがある二本以上の金種カセット２のうちで、最も現金の収納量が多い金種カセット２を選定する。一方、ステップＳ２５において変更可否判断部４が出金が過多の傾向にあると判別した場合には、ステップｓ３０において変更可否判断部４がその収納量データを参照し、第２金種の出金専用庫に設定されて収納量に空きがある二本以上の金種カセット２のうちで、最も現金の収納量が少ない金種カセット２を選定する。また、変更可否判断部４は、ステップＳ３０において選定した結果をモード制御部５及びサービスレベル判断部７に通知する。
【００５０】
ステップＳ３１
続いて、ステップＳ３０における変更可否判断部４の金種カセット２の選定結果に基いて、サービスレベル判断部７が、現金の収納先の変更後のサービスレベルの確認を行う。即ち、サービスレベル判断部７は、変更可否判断部４が選定した金種カセット２へ、現金の収納先を変更した際に、現金自動取引装置１が第２金種を用いて運用可能であるか否かを判断する。サービスレベル判断部７が、運用可能であると判断した場合には、ステップＳ４０へ進む。一方、運用不可と判断した場合にはステップＳ５０へ進み、ニアフル状態であることを出力装置９に出力する。
【００５１】
ステップＳ４０
ステップＳ３１において、サービスレベル判断部７が、現金の収納先の変更後において第２金種を用いて現金自動取引装置１の運用が可能であると判断した場合には、ステップＳ４０にて、モード制御部５が、変更可否判断部４からの通知に基いて、各金種カセット２およびリジェクトカセット３の運用モードを決定する。更に、モード制御部５が現金ユニット制御部２１を介して記憶装置５０に記憶された運用モードを更新する。
【００５２】
ステップＳ５０
続いて、ステップＳ５０において、変更可否判断部４が、現金の収納先を変更後の各金種カセット２及びリジェクトカセット３の現金の収容可能な量を計算し、各金種カセット２及びリジェクトカセット３について計算した量を出力装置９に出力する。
【００５３】
（作用・効果）
本実施の形態に依れば、変更可否判断部４が現金の収納先の変更可否を判断して、モード制御部５により現金の収納先の設定を変更することで、各金種カセット又はリジェクトカセットが収納する現金が満杯になることによる取引の停止を一時的に回避して現金自動取引装置が連続的に運用可能な時間を延長させることができる。また、変更可否判断部４が、現金の収納先の変更後における現金の収容可能な量を計算して出力装置９に出力し、現金の変更によって取引時間の延長を行うことができない場合のみにニアフル通知を行うために、係員に金種カセット２又はリジェクトカセット３の交換のタイミングを意識させることが無い。また、本実施の形態における現金自動取引装置１の構成は、リジェクトカセット３又は一の金種カセット２に収納された現金を、他の金種カセット２へと移動させるための専用のスペースを必要としない為に、省スペース化を達成したで現金自動取引装置が連続的に運用可能な時間を延長させることができる。
【図面の簡単な説明】
【００５４】
【図１】本発明における現金自動取引装置の概略構成図である。
【図２】本発明における現金自動取引装置の動作の流れを示すフローチャートである。
【図３】本実施の形態における変更可否判断ステップＳ２０の動作の流れを示すフローチャートである。
【符号の説明】
【００５５】
１    現金自動取引装置
２    金種カセット
３    リジェクトカセット
４    変更可否判断部
５    モード制御部
６    収納量判断部
７    サービスレベル判断部
８    入出金傾向判別部
９    出力装置
１０    演算処理装置
１１    上位制御部
１３    現金入出口
１４    記憶装置
１６    ＲＡＭ
１７    ＲＯＭ
２０    現金ユニット
２１    現金ユニット制御部
３０    鑑別部
４０    現金移動経路
５０    記憶装置
６０    収納量検知装置
【図１】
2006331225.tif 000003
【図２】
2006331225.tif 000004
【図３】
2006331225.tif 000005